(57)【要約】  電話機に補助的なヘッドセット機能を装着することができるが、電話に応答してハンドセットを持上げ、および降ろすための物理的なリフタが依然として必要である。リフタは電話機のいずれかの部分と回路を成す必要があるが、無数の異なる機種を変更するのは実現不可能である。この問題を解決するために、容易に取外し可能な音声回線コードを、リフタシステムと手動操作可能な遠隔スイッチとに通す。スイッチは、ハンドセットコード上の音声信号に並行して信号を発し、リフタシステムは、信号を識別して、ハンドセットをその架台から持上げる、または降ろすためのスイッチング信号にのみ応答する。
2009510957.tif 000002
【特許請求の範囲】
【請求項１】
基本ユニット、ハンドセット、ハンドセットを基本ユニットに接続するハンドセットコード、および電気的に応答するハンドセットリフタを有する電話機用セットを組込む方法であって、
ａ．リフタを介して前記ハンドセットコードによってハンドセットを基本ユニットに電気的に接続するステップと、
ｂ．前記ハンドセットコードにおいてリフタｕｐ／ｄｏｗｎアクチュエータを電気的に接続するステップと、
ｃ．前記ハンドセットコードを介して前記アクチュエータからの信号を検知し、それに応答してハンドセットを持上げる、または降ろすように前記リフタを構成するステップとを備える、方法。
【請求項２】
前記ハンドセットから出て前記リフタによって受取られた信号をフィルタリングして、起動信号に近似する声信号が前記リフタの誤った起動を引起さないように声信号を減衰させるステップをさらに備える、請求項１に記載の方法。
【請求項３】
前記フィルタリングステップは、前記リフタに入る前に音声信号を短絡させるステップを含む、請求項２に記載の方法。
【請求項４】
前記フィルタリングステップは、音声信号の帯域通過ろ過を含む、請求項２に記載の方法。
【請求項５】
前記フィルタリングステップは、時間遅延中に出現する過渡信号を除去するための時間遅延回路を含む、請求項２に記載の方法。
【請求項６】
前記フィルタリングステップは、リフタが起動信号を検知することができる時間範囲を有する、請求項５に記載の方法。
【請求項７】
起動のための特定の基準を満たさないいずれの信号も除去するようにリフタを構成するステップをさらに備える、請求項１に記載の方法。
【請求項８】
前記特定の基準は、概して第１の所定の時間以上かつ第２の所定の時間枠以下の信号である、請求項７に記載の方法。
【請求項９】
前記特定の基準は、前記リフタを一方向に起動するためのコマンドを開始するための、概して第１の所定の時間以上かつ第２の所定の時間枠以下の第１の信号と、前記リフタを別の方向に起動するための、前記第２の時間よりも長い第２の信号とである、請求項７に記載の方法。
【請求項１０】
ハンドセットリフタを遠隔的に起動するための電話機用セットを組込むためのシステムであって、前記電話機用セットは、基本ユニット、ハンドセット、前記基本ユニットおよび前記ハンドセットの間で音声信号を伝えるように構成されたハンドセットコード、ならびにリフタを有し、
ａ．前記リフタに起動信号を発するように構成されたコマンドユニットを備え、前記ユニットは、前記ハンドセットコードの前記音声信号ワイヤに沿って前記起動信号を伝送するように構成され、さらに、
ｂ．前記リフタに関連付けられ、かつ前記ハンドセットコードの前記ワイヤと回路を成して前記ユニットからの前記起動信号を検出し、前記ワイヤ上に伝えられた音声信号を除去し、前記コマンドユニットに応答してハンドセットを持上げ戻すために前記起動信号を
前記リフタに通過させるように構成されるセンサを備える、システム。
【請求項１１】
前記リフタの前記センサは帯域通過フィルタを含む、請求項１０に記載のシステム。
【請求項１２】
前記センサは、過渡信号を阻止するために概して所定の時間以上のパルスを通過させるフィルタを含む、請求項１１に記載のシステム。
【請求項１３】
前記センサは、所定の最小時間遅延を検知して前記遅延よりも期間が短い信号を除去し、かつ第２の最大信号期間を検知して第２の所定の最大時間枠よりも期間が長い信号を除去することができる第１のフィルタを含み、前記所定の最小時間および最大時間内に収まる期間の信号のみを前記リフタに通過させる、請求項１０に記載のシステム。
【請求項１４】
前記センサは、所定の最小時間遅延を検知して前記遅延よりも期間が短い信号を除去し、かつ第２の最大信号期間を検知して前記最小値よりも長く前記最大値よりも短い信号に応答して前記リフタを一方向に動作させることができる第１のフィルタと、前記最大値よりも長い信号については前記リフタを別の方向に起動するための第２のフィルタとを含み、期間の異なる信号が、信号期間に応じたリフタの選択的なｕｐおよびｄｏｗｎ起動を生じさせる、請求項１０に記載のシステム。
【請求項１５】
前記最小時間は概して２０ｍｓであり、前記最大時間は概して２００ミリ秒以下である、請求項１４に記載のシステム。
【発明の詳細な説明】
【技術分野】
【０００１】
発明の分野
本発明は、概して電話機のヘッドセット機器に向けられ、より詳細には、変更なしに既存の電話機に組込むことができる、手動でスイッチによって起動されるハンドセットリフタ機器に向けられる。
【背景技術】
【０００２】
背景
ヘッドセットまたは他のレシーバと電話システムとの相互接続のための通信システムが周知である。無線システムにより、電話機に相互接続された専用かつレポートレシーバの使用に新たな局面が加えられており、Voice over ＩＰ（ＶｏＩＰ）ネットワークが含まれる。このようなシステムは、遠隔装置との間で信号を中継するための関連ハードウェアによって電話線に接続される固定トランシーバを含む。ユーザは、電話機のコード線に繋がれていないため、無線システムによって通話中にかなりの移動の自由が与えられる。このような無線システムは典型的に、ハンドセットと電話機自体との間に挿入されたベースステーションを含み、ヘッドセットとの送受信のために音声信号を実質的にタップオフする。ハンドセットは、無線ヘッドセットまたはハンドセットを選択するためのスイッチ回路を含み得る無線ベース経由で間接的に電話機に接続されたままであるため、ユーザは、当初のハンドセットおよび無線装置の両方を使用することが依然として可能である。
【発明の開示】
【発明が解決しようとする課題】
【０００３】
多くの場合、ユーザは（たとえば電話機のキーパッドから発信を行なうために）電話機の近くにおり、この場合ユーザは、通話を開始するためにハンドセットを手動で持上げなくてはならない。しかしこれは、通話の終わりにハンドセットを手動で戻す必要もあるため、不都合であろう。
【課題を解決するための手段】
【０００４】
発明の概要
概して本発明は、スイッチに応答するリフタを既存の電話機に組み込み、かつ電話機の物的な変更なしにこのような既存の電話機にこのような設備を設置可能なシステムおよび方法に関する。
【０００５】
たとえば、基本ユニット、ハンドセット、ハンドセットを基本ユニットに接続するハンドセットコード、および電気的に応答するハンドセットリフタを有する電話機用セットを組込む方法が開示されており、リフタを介して前記ハンドセットコードによってハンドセットを基本ユニットに電気的に接続するステップと、前記ハンドセットコードにおいてリフタｕｐ／ｄｏｗｎアクチュエータを電気的に接続するステップと、前記ハンドセットコードを介して前記アクチュエータからの信号を検知し、それに応答してハンドセットを昇降させるように前記リフタを構成するステップとを備える。
【０００６】
ハンドセットリフタを遠隔的に起動するための電話機用セットを組込むためのシステムも開示されており、前記電話機用セットは、基本ユニット、ハンドセット、前記基本ユニットおよび前記ハンドセットの間で音声信号を伝えるように構成されたハンドセットコード、ならびにリフタを有し、前記リフタに起動信号を発するように構成されたコマンドユニットを備え、前記ユニットは、前記ハンドセットコードの前記音声信号ワイヤに沿って
前記起動信号を伝送するように構成され、さらに、前記リフタに関連付けられ、かつ前記ハンドセットコードの前記ワイヤと回路を成して前記ユニットからの前記起動信号を検出し、前記ワイヤ上に伝えられた音声信号を除去し、前記コマンドユニットに応答してハンドセットを持上げ戻すために前記起動信号を前記リフタに通過させるように構成されるセンサを備える。
【０００７】
多数の他の発明の概念および実施形態を本書類において開示および請求する。この概要は、それらのすべてに言及しようとするものではない。明細書および請求項を十分に参照のこと。
【０００８】
本発明は、添付の図面と関連して、発明のさまざまな実施形態についての以下の詳細な説明を考慮すると、より完全に理解されるであろう。
【０００９】
本発明はさまざまな修正および代替的な形態に適するが、その具体例を例として図面に示し、詳細に説明する。しかし、記載する特定の実施形態に本発明を限定する意図はないことを理解されたい。逆に、添付の請求項によって規定される発明の精神および範囲内に収まるすべての変更、同等物および代替例を包含するものである。
【発明を実施するための最良の形態】
【００１０】
詳細な説明
概して本発明は、プッシュボタンによって起動されるハンドセットリフタ装置のシステム、方法および機器に向けられる。無線または有線電話機ヘッドセットおよび関連する増幅器は、回線コードよりも電話機のハンドセットのアナログ回線を通常タップすることが周知である。この配置の利点は、特にデジタル電話機において、各セットメーカーによって使用されている所有者コードを知る必要がない点である。さらに、回線コードにタップするというのは、ヘッドセットは単にハンドセットの代用品ではなく、完全な電話機でなければならず、電話機の特徴も再現しなければならないということを意味する。
【００１１】
ユーザが受話器をフックから外す（すなわちヘッドセットシステムが音声信号を傍受可能となるようにハンドセットを上げる）ことができるようにする好都合な方法は、アナログハンドセット回線に付加することができる、リフタシステムの直接起動のための手動システムを設けることである。これは、何らかの無線または他のリフタアクチュエータ、たとえばリフタ上のスイッチ等への付加であってもよい。ハンドセット回線においてスイッチを付加することによって、いずれの電話機にもコネクタ（通常はＲＪモジュラ型）を組込むことが簡単になり、電話機についてさらなる組込は不要である。
【００１２】
プッシュボタンによって起動されるヘッドセットリフタシステム１００の機能ブロック図の実施形態を図１に示す。システム動作の最上層の全体像が続く。ハンドセットジャックに接続された標準的なオフィス電話機１１０は、相互接続ケーブル１３０によってヘッドセット増幅器ユニット１２０に接続される。ヘッドセット増幅器ユニット１２０はモジュラジャック１４０を有し、４本のリード線１４０Ａから１４０Ｄがコネクタジャック１４０から出ているものとして示す。リード線１４０Ａおよび１４０Ｂは、電話機１１０への途中でマイクロホンユニット１５０によって生成された音声信号を伝え、リード線１４０Ｃおよび１４０Ｄは、電話機１１０からヘッドセットスピーカ１６０に向けられた音声信号を伝える。プッシュボタン起動ユニット１７０は、なかでも、ユーザによって起動されるプッシュボタン１８０を収容し、その出力信号は電話機ハンドセットリフタユニット１８５を制御する。この実施形態では、ヘッドセット着用者は、電話機のハンドセットと物理的にやり取りすることなく、電話に応答する（ピックアップする）ことも終了する（切る）こともできる。
【００１３】
問題は、ハンドセットを持上げ、および降ろすための回路に接続された単純なプッシュボタン（入／切）の使用において生じる。持上げ／降ろす回路がそのような動作を開始するための信号として認識する信号と、回線上に同時に伝えられる音声（たとえば声）信号とが近似しているように見え得る。このような誤った起動により、システムが信頼できなくなる。
【００１４】
これを防ぐため、トリガ信号に見え得る音声信号を阻止するように構成された帯域通過フィルタを作成する。このような信号の一例は、所定の期間、約３０秒間ユーザがハンドセットをフックから外したままにしていることを指摘するために米国の電話システムで用いられている大音量信号であり得る。もちろん、受信者が受取る必要のある狭い声周波数および振幅における通常の音声信号に干渉しないような帯域通過値を選択することが必要である。
【００１５】
次により詳細な検討を行なう。電話機１１０が着信で鳴っているのをユーザが聞くと、ユーザは、手動起動コマンドユニット（多くの種類の信号生成器であり得るがこの実施形態ではプッシュボタン）１８０を所定の期間、およそ概ね１００ミリ秒より長く２秒未満の間押し下げることによって、電話機のハンドセットを持上げ、かつ電話を受けることを開始し得る。１００ｍｓの待ち時間は絶対的ではない。たとえば２５または５０ｍｓであり得るが、時間が長くなるほど、望ましくない過渡信号が除去される可能性が高くなる。同様に、最大値の２秒は本質的な上限ではない。たとえば、０．５または１秒も選択し得る。目的は、明らかに過度的ではない信号を送るのに十分長く、かつ利便性が良いように十分短く、ユーザがスイッチを入れた状態に保つことである。プッシュボタン１８０が閉じられると、抵抗２００は、抵抗２１０を介して電流が流れるようにキャパシタ１９０を放電し、その結果ｕｐ論理回路が起動される（キャパシタ２２０はヘッドセット増幅器１２０に直流が入るのを阻止する）。放電信号２３０は、論理回路２４０によって受取られ、分析される。手動コマンドユニット１８０および関連するＲＣ回路を、アクティブ信号生成器で置き換えることができる。目下のケースでは、高いピークを有する、減衰する指数関数型パルスが生成され、同様の音声信号（好ましい実施形態ではこのような信号は本質的にフィルタリングされる）とは容易に識別可能になる。他のより一層識別可能な波形、たとえば矩形波パルス、特定のアナログパターン、または音声と十分区別することができるデジタルコード化ＩＤ信号を用いることが可能である。好ましい方法では、単純なＲＣネットワークが費用の点で有利であると認識される。
【００１６】
電話への応答を開始するための所定の基準（時間範囲）‐すなわち（１００ミリ秒より長く２秒間未満の時間遅延での）持上げｕｐ信号を放電信号２３０が満たしていると論理回路２４０が判断すれば、論理回路２４０はｕｐコマンド２５０を出力し、その結果ｕｐスイッチ２６０が起動し、リフタモータ２８０を介して適切な方向に電流２７０が流れ、電話機のハンドセットを物理的に持上げ始める。リフタモータ２８０は、ハンドセットが（当該分野で既知のいくつのセンサ装置によっても判断し得る）所定の高さに到達したことをｕｐサイクル停止センサ２９０が検知するまで電話機のハンドセットを持上げ、その後、ｕｐスイッチ２６０を切断し得る停止コマンド３００を開始し、リフタモータ２８０を停止させ得る。受信を受けることができるように、ハンドセットがしきい値より高く持上げられた状態（すなわちフックから外れた状態）で、音声信号が電話機１１０から出て、ヘッドセット増幅器１２０へと相互接続ケーブル１３０を通り抜ける。着信音声信号はその後、リード線１４０Ｃおよび１４０Ｄに与えられる差動出力信号としてヘッドセット増幅器１２０から送られる。リード線１４０Ｃおよび１４０Ｄ上の音声信号は、ヘッドセットスピーカユニット１６０への途中で、ヘッドセットコネクタ３１０、コイルワイヤ３２０、およびプッシュボタン起動ユニット１７０をこの順に通り抜ける。ここにおいて、ワイヤリード線１４０Ｄ上のキャパシタ２２０は結合コンデンサとして機能し、音声信号を通過させ、直流および／または前述したプッシュボタン起動ユニット１７０によって生
成された過渡放電信号２３０を阻止し、ワイヤリード線１４０Ｃ上の抵抗４１０は、スピーカ１６０への途中で音声信号が取出されないように、典型的に３００オームよりもずっと大きい、十分大きな抵抗値を有する。さらに、抵抗２１０およびキャパシタ３３０からなる低域通過フィルタ回路は、リード線１４０Ｄ上の音声信号を電話機ハンドセットリフタユニット１８５のちょうど手前で接地に短絡し、これにより音声信号が論理ユニット２４０を不注意にトリガして、誤ったハンドセットｕｐ／ｄｏｗｎコマンドを発行させることを確実になくす。
【００１７】
このシステムのデジタル（すなわち非アナログ）版が可能であることに注意されたい。ＲＣ回路は、タイマを有する既知のスイッチング回路で置き換えることもできる。
【００１８】
同様に、ユーザは当初の電話を取るのに使用した同じプッシュボタン１８０を押し下げることによって通話を切り、終了することができる。このケースでは、ユーザが通話を終了し、ハンドセットを、それが載置される「ｄｏｗｎ」位置に戻したいときには、ユーザは所定の期間、およそ２００ミリ秒（ｍｓ）より長くプッシュボタン１８０を押し下げればよいが、他の選択肢もある。ｕｐ信号はおよそ１００ｍｓから２秒（または上述したように他の長さ）であり、スイッチがｄｏｗｎ信号よりも長い間（この場合は２秒よりも長く）起動されると、ｄｏｗｎ信号が発せられ得る。別のケースでは、ｕｐ信号およびｄｏｗｎ信号は同じ長さであり得る（たとえば、１００ｍｓより長く２秒未満であるが、ｕｐとｄｏｗｎとの間で切換わる）。これはより簡単な構成であるが、ユーザにとっては少し紛らわしいおそれがある。前述のように、この動作によって、キャパシタ１９０に蓄えられているエネルギが抵抗２００および２１０を介して放電される（キャパシタ２２０は、放電信号がヘッドセット増幅器１２０に入るのを阻止する）。放電信号２３０は、論理回路２４０によって受取られ、分析される。
【００１９】
電話を切るのを開始するための所定の基準（２ｍｓよりも長い期間）を放電信号２３０が満たしていると論理回路２４０が判断すれば、論理回路２４０はｄｏｗｎコマンド３４０を出力し、その結果ｄｏｗｎスイッチ３５０が起動し、リフタモータ２８０を介して適切な方向に電流３６０が流れ、電話機のハンドセットを物理的に下げ始める。その後リフタモータ２８０は、ハンドセットが所定の高さに到達したことをｄｏｗｎサイクル停止センサ３７０が検知するまで電話機のハンドセットを下げ、その後、ｄｏｗｎスイッチ２６０を切り、かつリフタモータ２８０を停止し得る停止コマンド３００を開始し得る。上述した例では、ヘッドセットの持上げ中はｄｏｗｎ信号が制止され、同様に、リフタ装置１００の下降中はｕｐ信号が制止される。これにより、たとえば、リフタがハンドセットを持上げている間にプッシュボタン１８０に不注意に当たることで、ユーザが電話のピックアップを誤って終了させてしまうことを確実になくし得る。
【００２０】
上記の実施形態は、アナログ電子回路を利用した、プッシュボタンによって起動されるヘッドセットリフタ装置１００について記載している。デジタル式の実施形態も想定することができ、たとえばデジタル形式の論理回路２４０は、プッシュボタン１８０を１回押し下げると、電話機１１０が鳴っているときに応答するためのリクエストとして認識し、プッシュボタン１８０を素早く連続して２回以上押し下げると、通話を終了して切るためのリクエストの信号として認識するように、プログラミングし得る。多くの他の変形、たとえば一部アナログ／一部デジタルのハイブリッドシステムも想定することができ、キャパシタ１９０を経由する放電信号を、デジタル論理ユニット２４０への送信前にプッシュボタン起動ユニット１７０内でデジタル化し得る。
【００２１】
本発明の別の重要な特徴は、プッシュボタン起動ユニット１７０に内蔵された高速切断コネクタ３９０および４００である。
【００２２】
これらの高速切断コネクタにより、プッシュボタンによって起動される電話応答／電話切断機能なしに当初販売された既存の電話機ヘッドセットシステムに、プッシュボタン起動ユニット１７０を容易に組込むことが可能となり得る。
【００２３】
上記のように、本発明は電話機ヘッドセットシステムに適用可能であり、高速切断プッシュボタン起動ヘッドセットリフタ機器に特に有用であると考えられる。本発明は、上記の特定の例に限定されると考えられるべきではなく、添付の請求項に明確に記載した発明のすべての局面を包含すると理解されるべきである。本明細書を検討すれば、本発明が照準を合わせている当業者には、さまざまな変更、同等のプロセス、および本発明を適用し得る多数の構造が容易に明らかとなるであろう。請求項はそのような変更および装置を包含することを意図する。
【図面の簡単な説明】
【００２４】
【図１】プッシュボタンによって起動されるハンドセットリフタ機器を実現するための回路の機能ブロック図である。
【図１】
2009510957.tif 000003
【手続補正書】
【提出日】平成19年8月1日(2007.8.1)
【手続補正１】
【補正対象書類名】特許請求の範囲
【補正対象項目名】全文
【補正方法】変更
【補正の内容】
【特許請求の範囲】
【請求項１】
基本ユニット、ハンドセット、ハンドセットを基本ユニットに接続するハンドセットコード、および電気的に応答するハンドセットリフタを有する電話機用セット（１１０）を組込む方法であって、
ａ．リフタを介して前記ハンドセットコードによってハンドセットを基本ユニットに電気的に接続するステップと、
ｂ．前記ハンドセットコードにおいてリフタｕｐ／ｄｏｗｎアクチュエータ（１８５）を電気的に接続するステップとを備え、
リフタは、前記ハンドセットコードの音声信号ワイヤを介して前記アクチュエータからの信号を検知し、それに応答してハンドセットを持上げる、または降ろすように構成されることを特徴とする、方法。
【請求項２】
前記ハンドセットから出て前記リフタによって受取られた信号をフィルタリングして、起動信号に近似する声信号が前記リフタの誤った起動を引起さないように声信号を減衰させるステップをさらに備える、請求項１に記載の方法。
【請求項３】
前記フィルタリングステップは、前記リフタに入る前に音声信号を短絡させるステップを含む、請求項２に記載の方法。
【請求項４】
前記フィルタリングステップは、音声信号の帯域通過ろ過を含む、請求項２に記載の方法。
【請求項５】
前記フィルタリングステップは、時間遅延中に出現する過渡信号を除去するための時間遅延回路を含む、請求項２に記載の方法。
【請求項６】
前記フィルタリングステップは、リフタが起動信号を検知することができる時間範囲を有する、請求項５に記載の方法。
【請求項７】
起動のための特定の基準を満たさないいずれの信号も除去するようにリフタを構成するステップをさらに備える、請求項１に記載の方法。
【請求項８】
前記特定の基準は、概して第１の所定の時間以上かつ第２の所定の時間枠以下の信号である、請求項７に記載の方法。
【請求項９】
前記特定の基準は、前記リフタを一方向に起動するためのコマンドを開始するための、概して第１の所定の時間以上かつ第２の所定の時間枠以下の第１の信号と、前記リフタを別の方向に起動するための、前記第２の時間よりも長い第２の信号とである、請求項７に記載の方法。
【請求項１０】
ハンドセットリフタを遠隔的に起動するための電話機用セット（１１０）を組込むためのシステムであって、前記電話機用セットは、基本ユニット、ハンドセット、前記基本ユニットおよび前記ハンドセットの間で音声信号を伝えるように構成されたハンドセットコード、ならびにリフタを有し、
前記リフタに起動信号を発するように構成されたリフタｕｐ／ｄｏｗｎアクチュエータを備え、前記ユニットは、前記ハンドセットコードの音声信号ワイヤに沿って前記起動信号を伝送するように構成され、
センサは、前記リフタに接続され、かつ前記ハンドセットコードの前記ワイヤと回路を成して前記アクチュエータからの前記起動信号を検出し、前記ワイヤ上に伝えられた音声信号を除去し、前記リフタｕｐ／ｄｏｗｎアクチュエータに応答してハンドセットを持上げ戻すために前記起動信号を前記リフタに通過させるように構成されることを特徴とする、システム。
【請求項１１】
前記リフタの前記センサは帯域通過フィルタを含む、請求項１０に記載のシステム。
【請求項１２】
前記センサは、過渡信号を阻止するために概して所定の時間以上のパルスを通過させるフィルタを含む、請求項１１に記載のシステム。
【請求項１３】
前記センサは、所定の最小時間遅延を検知して前記遅延よりも期間が短い信号を除去し、かつ第２の最大信号期間を検知して第２の所定の最大時間枠よりも期間が長い信号を除去することができる第１のフィルタを含み、前記所定の最小時間および最大時間内に収まる期間の信号のみを前記リフタに通過させる、請求項１０に記載のシステム。
【請求項１４】
前記センサは、所定の最小時間遅延を検知して前記遅延よりも期間が短い信号を除去し、かつ第２の最大信号期間を検知して前記最小値よりも長く前記最大値よりも短い信号に応答して前記リフタを一方向に動作させることができる第１のフィルタと、前記最大値よりも長い信号については前記リフタを別の方向に起動するための第２のフィルタとを含み、期間の異なる信号が、信号期間に応じたリフタの選択的なｕｐおよびｄｏｗｎ起動を生じさせる、請求項１０に記載のシステム。
【請求項１５】
前記最小時間は概して２０ｍｓであり、前記最大時間は概して２００ミリ秒以下である、請求項１４に記載のシステム。
【手続補正書】
【提出日】平成20年6月5日(2008.6.5)
【手続補正１】
【補正対象書類名】明細書
【補正対象項目名】０００３
【補正方法】変更
【補正の内容】
【０００３】
多くの場合、ユーザは（たとえば電話機のキーパッドから発信を行なうために）電話機の近くにおり、この場合ユーザは、通話を開始するためにハンドセットを手動で持上げなくてはならない。しかしこれは、通話の終わりにハンドセットを手動で戻す必要もあるため、不都合であろう。
米国特許番号第５，７５８，２８９Ａ号は、基本ユニットと、コード付き電話機のハンドセットと、コードレス電話機のハンドセットとを有する電話機用セットを備える電話機システムを示している。さらに、コード付き電話機上にハンドセット（中継）リフタを備える。コードレス電話機の本体と中継リフタとの間の信号回線には、聴覚信号と、振動検知回路、位置検出器からの検出信号と、中継リフタの駆動モータを制御するための制御信号とが含まれる。これは、通常の低価格コードレス電話機と関連して機能することが出来るように、必要に応じて、中継リフタの直前で電話機が変更されるということを意味する。
【手続補正２】
【補正対象書類名】明細書
【補正対象項目名】０００９
【補正方法】変更
【補正の内容】
【０００９】
本発明はさまざまな修正および代替的な形態に適するが、その具体例を例として図面に示し、詳細に説明する。しかし、記載する特定の実施形態に本発明を限定する意図はないことを理解されたい。逆に、添付の請求項によって規定されるすべての変更、同等物および代替例を包含するものである。
【手続補正３】
【補正対象書類名】明細書
【補正対象項目名】００１０
【補正方法】変更
【補正の内容】
【００１０】
詳細な説明
概して本発明は、プッシュボタンによって起動されるハンドセットリフタ装置のシステム、方法および機器に向けられる。無線または有線電話機ヘッドセットおよび関連する増幅器は、回線コードではなく電話機のハンドセットのアナログ回線を通常タップすることが周知である。この配置の利点は、特にデジタル電話機において、各セットメーカーによって使用されている所有者コードを知る必要がない点である。さらに、回線コードにタップするというのは、ヘッドセットは単にハンドセットの代用品ではなく、完全な電話機でなければならず、電話機の特徴も再現しなければならないということを意味する。
【国際調査報告】
2009510957.tif 000004
2009510957.tif 000005